(57)【特許請求の範囲】
【請求項１】
プラントの各設備機器に関する管理項目毎の仕様情報を含む管理情報、設備機器毎に固有の識別情報、及び設備機器の種別情報の入力を受け付けるための入力手段と、
情報を記憶するための記憶手段と、
前記入力手段より入力されたある設備機器に関する管理情報を、該設備機器の種別に対応した管理項目を示す管理項目情報と管理項目毎の仕様情報とに分割し、前記管理項目情報に前記入力手段より入力された該設備機器の識別情報及び種別情報を付加するとともに、前記管理項目毎の仕様情報に前記入力手段より入力された該設備機器の識別情報及び種別情報を付加し、これらを前記記憶手段に登録するための登録手段と、
前記識別情報により前記記憶手段からの前記管理情報の検索を行うための検索手段とを有し、
前記登録手段は、複数の前記設備機器に関する管理情報のなかに共通して含まれる管理項目毎に前記各設備機器の前記共通管理項目の仕様情報の一覧を共通仕様データとして、前記設備機器の種別毎に異なる機器種類別仕様データとは分離して前記記憶手段に登録し、
かつ、前記記憶手段は、前記共通仕様データと前記機器種類別仕様データとに関連付けて、前記仕様情報と所定の符号とを対応させたテーブルからなる定数記憶手段を有し、前記登録手段は、前記入力手段により入力された前記符号を前記テーブルを参照して該符号に対応する仕様情報に変換し前記記憶手段に登録し、
かつ、前記記憶手段は、複数の前記設備機器に関する図面・画像とこの図面・画像に対応する図面・画像管理情報とを記憶する図面情報記憶手段を有し、前記登録手段は、前記図面・画像と前記図面・画像管理情報とを前記記憶手段に登録し、
さらに、編集用の図面の情報が記憶される編集用図面記憶手段、図面の編集処理を行う図面編集手段、及び図面の情報の入出力を行う図面入出力手段を有する図面編集装置に対して、前記設備機器に関する図面・画像と対応する図面・画像情報を、この図面編集装置で修正可能なデータフォーマットに変換して前記図面編集装置上で修正可能な状態で図面・画像を出力する図面連携手段を有する
ことを特徴とするプラント設備管理装置。
【請求項２】
前記検索手段は、外部から与えられた仕様条件を満たす設備機器を、前記記憶手段に記憶された管理情報を参照して検索することを特徴とする請求項１記載のプラント設備管理装置。
【請求項３】
個々の設備機器に関する前記管理項目外の該個々の設備機器に関する付属情報を登録及び検索するための手段をさらに具備することを特徴とする請求項１又は２記載のプラント設備管理装置。
【発明の詳細な説明】
【０００１】
【発明の属する技術分野】
本発明は、発電所等のプラントにおける設備機器に関する管理情報を一元的に管理するプラント設備管理装置に関する。
【０００２】
【従来の技術】
従来、設備機器に関する管理情報の登録や検索と言った管理業務は、ペーパによるファイルすなわち用紙上に管理情報をそのまま記述したファイルを使って行われることが一般的である。しかしながら、このようなペーパによるファイルを使ったプラント設備の管理形態では、プラントの設備機器の規模が膨大なものになるつれてファイル数も膨大な枚数となることから、ファイル登録やファイル検索に多大な人的手間を要するようになり、また、大きなファイル保管スペースを確保しなければならないという弊害が生じる。そこで、近年、プラントの設備機器に関する膨大な管理情報を電子ファイル化して管理することへの要請が高まってきている。かかる電子ファイル化によって、ファイル保管スペースの狭小化はもちろん、登録・検索業務効率の著しい向上が期待される。
【０００３】
しかしながら、このようにプラントの設備機器に関する管理情報を電子ファイル化したとしても、膨大なファイル群の中から如何に正確かつ迅速に目的の情報を検索するかという課題については十分な解決手段が与えられていないという問題がある。
【０００４】
【発明が解決しようとする課題】
本発明は、このような課題を解決するためのものであり、プラントの各設備機器に関する管理情報を電子ファイル化して登録するとともに、登録された管理情報の中から必要とする管理情報を容易にかつ迅速に検索できるプラント設備管理装置を提供することを目的とする。
【０００５】
【課題を解決するための手段】
上記目的を達成するために、本発明のプラント設備管理装置は、プラントの各設備機器に関する管理項目毎の仕様情報を含む管理情報、設備機器毎に固有の識別情報、及び設備機器の種別情報の入力を受け付けるための入力手段と、情報を記憶するための記憶手段と、前記入力手段より入力されたある設備機器に関する管理情報を、該設備機器の種別に対応した管理項目を示す管理項目情報と管理項目毎の仕様情報とに分割し、前記管理項目情報に前記入力手段より入力された該設備機器の識別情報及び種別情報を付加するとともに、前記管理項目毎の仕様情報に前記入力手段より入力された該設備機器の識別情報及び種別情報を付加し、これらを前記記憶手段に登録するための登録手段と、前記識別情報により前記記憶手段からの前記管理情報の検索を行うための検索手段とを有し、前記登録手段は、複数の前記設備機器に関する管理情報のなかに共通して含まれる管理項目毎に前記各設備機器の前記共通管理項目の仕様情報の一覧を共通仕様データとして、前記設備機器の種別毎に異なる機器種類別仕様データとは分離して前記記憶手段に登録し、かつ、前記記憶手段は、前記共通仕様データと前記機器種類別仕様データとに関連付けて、前記仕様情報と所定の符号とを対応させたテーブルからなる定数記憶手段を有し、前記登録手段は、前記入力手段により入力された前記符号を前記テーブルを参照して該符号に対応する仕様情報に変換し前記記憶手段に登録し、かつ、前記記憶手段は、複数の前記設備機器に関する図面・画像とこの図面・画像に対応する図面・画像管理情報とを記憶する図面情報記憶手段を有し、前記登録手段は、前記図面・画像と前記図面・画像管理情報とを前記記憶手段に登録し、さらに、編集用の図面の情報が記憶される編集用図面記憶手段、図面の編集処理を行う図面編集手段、及び図面の情報の入出力を行う図面入出力手段を有する図面編集装置に対して、前記設備機器に関する図面・画像と対応する図面・画像情報を、この図面編集装置で修正可能なデータフォーマットに変換して前記図面編集装置上で修正可能な状態で図面・画像を出力する図面連携手段を有することを特徴とする。
【０００６】
さらに、本発明のプラント設備管理装置は、前記検索手段が、外部から与えられた仕様条件を満たす設備機器を、前記記憶手段に記憶された管理情報を参照して検索することを特徴とする。
【０００７】
また、本発明のプラント設備管理装置は、個々の設備機器に関する前記管理項目外の該個々の設備機器に関する付属情報を登録及び検索するための手段をさらに具備することを特徴とする。
【００２１】
【発明の実施の形態】
以下、本発明の実施の形態を図面に基づいて説明する。
【００２２】
図１は、本発明の第１の実施形態であるプラント設備管理装置を概念的に示す図である。
【００２３】
このプラント設備管理装置は、発電所等のプラントにおける各設備機器を管理するためのものであり、図１に示すように、各設備機器に関する管理情報のうち設備機器の仕様情報である各管理項目毎の仕様データと、管理情報のうち機器名称、ＴＡＧ．ＮＯ等の機器データとを入力する入力装置１と、仕様情報の検索結果及び仕様情報の登録、修正画面等を表示する出力装置２と、仕様情報を検索、登録する仕様情報検索・登録手段３と、仕様情報を磁気ディスク等に記憶する仕様データ記憶手段４と、機器名称、ＴＡＧ．ＮＯ等の機器データを同様に磁気ディスク等に記憶する機器データ記憶手段５とにより構成されている。ここで、機器データ記憶手段５と仕様データ記憶手段４との各々に、設備機器毎に固有の識別情報である機器コードを共通の情報として記憶させることで各々のデータの関連付けが行われる。
【００２４】
このように構成された本実施形態のプラント設備管理装置により各設備機器の管理情報を登録する場合について説明する。
【００２５】
まず、オペレータが、入力装置１より各設備機器における管理情報の登録要求を行うと、図２に示すように、仕様情報検索・登録手段３からの表示要求により出力装置２に仕様情報登録・修正入力画面が表示される。次に、オペレータは表示された仕様情報登録・修正入力画面に対して、機器名称、ＴＡＧ．ＮＯ及び仕様データに加え個々の設備機器固有の機器コードを入力装置１より入力する。
【００２６】
この際、機器名称、ＴＡＧ．ＮＯ等の機器データは機器データ記憶手段５に、各管理項目における仕様データは仕様データ記憶手段４にそれぞれ分類して記憶される。さらに、機器コードは、機器データ記憶手段５に記憶された機器データと仕様データ記憶手段４に記憶された仕様データとの各々に共通情報として記憶され、これにより各設備機器における機器データと仕様データとの関連付けが行われ、以て管理情報の登録が行われる。例えば、機器データ記憶手段５に記憶された機器コード“０００１”のＴＡＧ．ＮＯ“ＴＡ−８０７６”及び機器名称
“モータＡ”と、仕様データ記憶手段４に記憶された機器コード“０００１”の仕様データ“電流１０Ａ”“電圧１００Ｖ”とは、機器コード“０００１”を通じて関連付けが行われる。
【００２７】
次に、本実施形態のプラント設備管理装置により各設備機器の管理情報を検索する場合について説明する。
【００２８】
まず、オペレータが、入力装置１より各設備機器における管理情報の検索要求を行うと、仕様情報検索・登録手段３からの表示要求により図３に示すように、機器指定入力画面が出力装置２に表示される。次に、オペレータは表示された機器指定入力画面の所定の欄に、機器コード、機器名称あるいはＴＡＧ．ＮＯ等のいづれか、例えば“モータＡ”を入力装置１より入力する。これにより、仕様情報検索・登録手段３は、入力された機器データ“モータＡ”に基づき、機器コード“０００１”及び機器コード“０００１”が一致する他の機器データ“ＴＡ−８０７６”を、機器データ記憶手段５に記憶されている機器データの中から読み出す。さらに、仕様情報検索・登録手段３は、機器データ記憶手段５より読み出した機器コード“０００１”と一致する仕様データ“電流１０Ａ、電圧１００Ｖ”を仕様データ記憶手段４より読み出す。そして、読み出された機器コード“０００１”、機器名称“モータＡ”、ＴＡＧ．ＮＯ“ＴＡ−８０７６”及び仕様データ“電流１０Ａ、電圧１００Ｖ”は出力装置２の機器仕様画面に表示される。
【００２９】
このように、本実施形態のプラント設備管理装置によれば、膨大な管理情報が必要となる発電所等のプラントの設備機器において、各設備機器の管理情報を仕様データ記憶手段４と機器データ記憶手段５とに分類して記憶させ、しかも、各々を機器コードにより関連づけているため、管理情報の検索を行う際、迅速に、正確に、そして容易に行うことができる。しかも、仕様データ記憶手段４と機器データ記憶手段５とが、管理情報を磁気ディスク等に電子ファイル化して記憶するため、膨大な量の管理情報も一定のスペースで管理することができる。
【００３０】
なお、本実施形態ではプラント設備管理装置において、各設備機器の管理情報の登録又は検索を行う場合について説明したが、管理情報の修正、削除等を本実施形態のプラント設備管理装置にて行うことも勿論可能である。
【００３１】
次に、本発明の第２の実施形態について説明する。
【００３２】
図４は本実施形態のプラント設備管理装置が具備する仕様データ記憶手段を概念的に示す図である。
【００３３】
本実施形態のプラント設備管理装置は、図１に示す第１の実施形態のプラント設備管理装置とほぼ同様であるが、図４に示すように仕様情報検索・登録手段を通じて、仕様データ記憶手段が、設備機器モータ、ポンプ等の種別情報としての機器種類情報を各設備機器の仕様データに付加して記憶する点と、機器データ記憶手段が、同様に機器種類情報を機器名称等の機器データに付加して記憶する点とが、第１の実施形態のプラント設備管理装置と異なっている。
【００３４】
この実施形態のプラント設備管理装置により、各設備機器の管理情報を登録する場合には、まず、図５に示すように仕様情報登録・修正入力画面を表示させ、例えば機器コード“０００１”、機器名称“モータＡ”、ＴＡＧ．ＮＯ“ＴＡ−８０７６”、及び仕様データ“電流１０Ａ、電圧１００Ｖ”の他に、機器種類“モータ”を併せて登録すると、仕様情報検索・登録手段３は、機器コード“０００１”、機器名称“モータＡ”、及び機器種類“モータ”を機器データ記憶手段５ａに記憶させ、また、機器コード“０００１”及び仕様データ“電流１０Ａ、電圧１００Ｖ”を“モータＡ”の仕様データとして、仕様データ記憶手段４ａに、例えば“ポンプ”等の管理データと分類し記憶させる。
【００３５】
また、このプラント設備管理装置により各設備機器の管理情報を検索する場合には、出力装置２に図６に示すように機器指定画面を出力させ、さらに入力装置１に例えば機器コード“０００１”を入力すると、仕様情報検索・登録手段３は、入力された機器コード“０００１”の機器種類“モータ”、機器名称“モータＡ”等を機器データ記憶手段５ａから読み出すとともに、仕様データ記憶手段４ａの中の機器種類“モータ”に該当する設備機器の仕様データが記憶されている箇所から、機器コード“０００１”の仕様データを検索し、検索結果を出力装置２に出力する。
【００３６】
本実施形態のプラント設備管理装置によれば、各設備機器の管理情報を機器種類別に記憶させておくことにより、管理情報を検索する場合、検索対象の情報を全機器分の管理情報から検索するのではなく、該当する機器種類の中から検索すれば良いので、検索対象数が少なくなり、目的の管理情報をより速く検索することが可能となる。
【００３７】
なお、本実施形態のプラント設備管理装置においては、各設備機器の管理情報を機器種類別に記憶させるようにしたが、管理情報を、各設備機器の例えば管理箇所等により分類して記憶させるようにしてもよい。
【００３８】
次に、本発明の第３の実施形態について説明する。
【００３９】
図７は、本実施形態であるプラント設備管理装置を概念的に示す図である。
【００４０】
同図に示すように、このプラント設備管理装置は、第２の実施形態のプラント設備管理装置における仕様データ記憶手段４ａを、仕様項目記憶手段４ｃと項目データ記憶手段４ｄとに分割し、新たに仕様データ記憶手段４ｂとして構成したものである。
【００４１】
例えば、図８に示すように、仕様項目記憶手段４ｃには“モータ”等の機器種類を含む“電流（Ａ）”、“電圧（Ｖ）”等のデータ管理項目が記憶され、項目データ記憶手段４ｂには“０００１”等で示される機器コードを含む、データ管理項目に対応する“１０”、“１００”等のデータ部分が記憶される。
【００４２】
また、図９に示すように、電流２０Ａ、電圧１００Ｖ等の仕様データを有する“モータＡ”と、電流３０Ａ、電圧２００Ｖ等の仕様データを有する“モータＢ”とを本実施形態のプラント設備管理装置により登録した場合、“電流（Ａ）”及び“電圧（Ｖ）”等のデータ管理項目と“２０”、“１００”及び“３０”、“２００”等のデータ部分とが分割され、仕様データ記憶手段４ｂに記憶される。ここで、“モータＡ”、“モータＢ”はそれぞれ機器コード“０００１”、“０００２”を通じて仕様データ記憶手段４ｂと関連付けられ、さらに、各々は機器種類が“モータ”であることから仕様項目記憶手段４ｃの“モータ”のデータ管理項目と関連付けられる。これにより、仕様項目記憶手段４ｃの項目１の“電流（Ａ）”は、項目データ記憶手段４ｄの機器コード“０００１”、“０００２”におけるデータ１の“２０”、“３０”に対応し、項目２の電圧（Ｖ）は、機器コード“０００１”、“０００２”におけるデータ２の“１００”、“２００”に対応することとなる。
【００４３】
このような構成のプラント設備管理装置において、各設備機器に関する管理情報を登録すると、同じ機器種類に属する各設備機器は全て同じデータ管理項目で管理されることになる。これにより、仕様項目記憶手段に記憶されているデータ管理項目に追加、修正を加えた場合には、同じ機器種類の各設備機器すべてに新しいデータ管理項目の追加や、既存のデータ管理項目の修正がなされたことになる。
【００４４】
例えば、機器種類“モータ”に分類される各設備機器のデータ管理項目は全て共通となるため、設備機器“モータＡ”ではデータ管理項目として“重量”を管理しているが、設備機器“モータＢ”ではデータ管理項目として“重量”を管理していない、といったことがなくなる。また、機器種類“モータ”のデータ管理項目に“材質”という項目を新規に追加した場合、“モータＡ”、“モータＢ”各々に“材質”という項目を追加したことになる。
【００４５】
このように、本実施形態のプラント設備管理装置によれば、各設備機器の仕様データをデータ管理項目とデータ部分とに分けて記憶させておくことにより、機器種類別に同一のデータ管理項目を管理することができ、また、その項目の追加や修正なども容易にかつ迅速に行うことが可能となる。
【００４６】
次に、本発明の第４の実施形態について説明する。
【００４７】
本実施形態のプラント設備管理装置の基本的な構成は、図７に示す第３の実施形態のプラント設備管理装置とほぼ同じであるが、仕様データ記憶手段の内部構成が異なっている。
【００４８】
図１０は、この実施形態におけるプラント設備管理装置の仕様データ記憶手段４ｅを概念的に示す図である。この仕様データ記憶手段４ｅは、データ管理項目毎に仕様データを各設備機器に対応させ、表形式で記憶している。例えば、データ管理項目のうち項目２の“電圧”が１００≦電圧≦１１０の条件となる設備機器を検索した場合、仕様データが表形式で記憶されていることにより、直ちに該当する“機器１、機器４”が検索される。この検索の場合、仕様データをデータ管理項目毎に各設備機器に対応させて表形式で記憶しているので、それぞれの設備機器に対して検索を行う必要がなく、検索処理が１回で済むことから、検索時間を短縮することが可能である。
【００４９】
このように、本実施形態のプラント設備管理装置によれば、仕様データを、データ管理項目毎に各設備機器に対応させ表形式にして記憶するので、仕様データにおける条件検索等を正確かつ迅速に行うことが可能となる。
【００５０】
次に、本発明の第５の実施形態について説明する。
【００５１】
図１１は、本実施形態のプラント設備管理装置を概念的に示す図である。このプラント設備管理装置は、図７に示す第３の実施形態におけるプラント設備管理装置において仕様データ記憶手段４ｂの仕様項目記憶手段４ｃ及び項目データ記憶手段４ｄをさらに分割したものである。
【００５２】
図１１に示すように、本実施形態の仕様データ記憶手段４ｆは、仕様項目記憶手段４ｃに記憶されていたデータ仕様項目を機器種類に拘らず全設備機器共通で管理する例えば、製造者、製造年月日、製造番号及び型式等の共通仕様項目と、機器種類毎に異なる例えば機器種類“モータ”の“電流、電圧”、機器種類“ポンプ”の“吸込圧力、吐出圧力”等の専用仕様項目とに分割し、共通仕様項目記憶手段４ｇと機器種類別項目記憶手段４ｈとにそれぞれ記憶する。
【００５３】
また、項目データ記憶手段４ｄに記憶されていた仕様項目に対応するデータ部分を、共通仕様項目記憶手段４ｇに記憶した共通仕様項目に対応するデータ部分と機器種類別項目記憶手段４ｈに記憶した専用仕様項目に対応するデータ部分とに分割し、共通仕様データ記憶手段４ｊと機器種類別データ記憶手段４ｋとにそれぞれ記憶する。
【００５４】
例えば、図１２に示すように機器種類“モータ”“ポンプ”等の専用仕様項目“電流、電圧”“吐出圧力、吸込圧力”に対応するデータ部分は機器種類毎に機器種類別データ記憶手段４ｋに記憶され、共通仕様項目“製造者、型式”に対応するデータ部分は“モータ”“ポンプ”等の機器種類に分けられることなく、共通仕様データ記憶手段４ｊの同一の記憶箇所に記憶される。これにより、製造者が“東芝”である設備機器を検索する場合、検索対象箇所が１ヶ所でよいことから検索処理が一度で済み、したがって容易にかつ迅速に検索を行うことが可能となる。
【００５５】
このように、本実施形態のプラント設備管理装置によれば、仕様データを、共通仕様項目のデータ部分と機器種類固有の専用仕様項目のデータ部分とに分けて管理することにより、共通仕様項目について検索を行う際には、検索処理回数が少なくなり、容易に目的の仕様データの検索を行うことができる。
【００５６】
なお、本実施形態のプラント設備管理装置においては、仕様項目を共通仕様項目と機器種類別の専用仕様項目との２つに分けて各設備機器を管理するようにしたが、さらに細かい仕様項目に分けて管理するようにしてもよい。例えば、仕様項目を共通仕様項目、機器種類大分類別項目及び機器種類詳細分類別項目の３つの項目に分けるものとする。この場合、機器種類大分類として“モータ”を登録しておき、また機器種類詳細分類として“高圧モータ”“低圧モータ”等を登録しておくことにより、“高圧モータ”と“低圧モータ”とが互い管理する仕様項目に関しては機器種類大分類別項目として管理し、“高圧モータ”若しくは“低圧モータ”特有の情報に関しては機器種類詳細分類別項目として管理すれば、共通仕様項目における検索に限らず、機器種類大分類別項目における検索においても、容易にかつ迅速に行うことができる。
【００５７】
次に、本発明の第６の実施形態について説明する。
【００５８】
図１３は、本実施形態のプラント設備管理装置を概念的に示す図である。このプラント設備管理装置は、図１１に示す第５の実施形態のプラント設備管理装置において、仕様データ記憶手段内に、共通仕様データ記憶手段ｅと機器種類別データ記憶手段ｆとに関連付けた定数記憶手段４ｎを設けたものである。
【００５９】
図１３に示すように、この実施形態におけるプラント設備管理装置の仕様データ記憶手段４ｍは、仕様データの中の符号化が可能な、例えば製造者、設置箇所、管理箇所等の仕様項目において、この仕様項目に対応するデータの名称と所定の符号とを対応させたテーブルとしての定数記憶手段４ｎを備えている。このため、仕様データ記憶手段４ｍは、共通仕様データ記憶手段４ｊ若しくは機器種類別データ記憶手段４ｋに仕様項目に対応するデータの名称ではなく、符号を記憶させる。
【００６０】
例えば、図１４に示すように、製造者として“東芝”を登録する場合、予め定数記憶手段４ｎに、符号：“ＭＫＲ０１”＝名称：“東芝”、“ＭＫＲΟ２”＝“東芝ケミカル”、“ＭＫＲＯ３”＝“東芝ライテック”及び“ＭＫＲΟ４”＝“東芝エンジニアリング”等の情報を予め記憶させておく。次に、オペレータの表示要求により、定数記憶手段４ｎに記憶されているこの情報が出力装置２を介して一覧表示され、この中から“東芝”に対応する“ＭＫＲ０１”をオペレータが選択すると、共通仕様データ記憶手段４ｅに“ＭＫＲ０１”が記憶される。これにより、共通仕様データ記憶手段４ｅに記憶された機器コード“０００１、０００４”の符号“ＭＫＲ０１”は、実質的に名称“東芝”として記憶されたことになる。
【００６１】
プラント設備管理装置をこのように構成したことにより、オペレータの違いによるデータ入力の個人差がなくなるので、同一の製造者であるにもかかわらず、例えば“東芝”“株式会社  東芝”“東京芝浦電機”等の異なる名称で登録されることがなくなる。また、一覧表示の中から所望の名称に対応する符号を選択することにより、名称を登録させたことになるので、仕様データの入力ミスを低減することができる。
【００６２】
このように、本実施形態のプラント設備管理装置によれば、符号化が可能な仕様データを登録する場合、所定の一覧表示の中からのデータ選択により、登録が行われることから、入力作業が容易になるとともに、データ登録時の入力ミスが少なくなる。また、登録人の個人差により、異なる仕様データが登録されることがなくなり、仕様データを画一的に管理することができる。したがって、データの登録精度及び検索速度を向上させることができる。
【００６３】
次に、本発明の第７の実施形態について説明する。
【００６４】
図１５は、本実施形態のプラント設備管理装置を概念的に示す図である。この実施形態のプラント設備管理装置は、図１３に示す第６の実施形態のプラント設備管理装置に、付属情報記憶手段６を加えて構成されている。
【００６５】
このプラント設備管理装置は、各設備機器に関する情報として特記事項、コメント等の付属情報を付け加えたい場合、この付属情報を付属情報記憶手段６に記憶させるようにしたものであり、図１６に示すように設備機器に関する付属情報６ｂと個々の設備機器固有の識別情報である機器コード６ａとが関連づけられこの付属情報記憶手段６に記憶される。
【００６６】
例えば“モータＡ”という設備機器に関する情報が記憶される場合、“モータＡ”の“電流、２０アンペア”“電圧、１００ボルト”といった仕様データは仕様データ記憶手段４ｍに記憶され、またこの仕様データに付随する“モータＡはモータＢより低燃費高効率である”といった特記事項等の付属情報６ｂは付属情報記憶手段６に記憶されることになる。
【００６７】
このように、本実施形態のプラント設備管理装置によれば、付属情報記憶手段６を設けたことにより、各設備機器に関する特記事項、コメント等の付属情報を容易に登録することができ、無論、検索を行うことも可能である。また、各設備機器における付属情報に個々の設備機器固有の機器コードを関連づけて記憶するので、付属情報の修正、削除等も容易に行うことができる。
【００６８】
次に、本発明の第８の実施形態について説明する。
【００６９】
図１７は、本実施形態のプラント設備管理装置を概念的に示す図である。この実施形態のプラント設備管理装置は、図１３に示す第６の実施形態のプラント設備管理装置に、図面管理情報記憶手段７と設備機器に関する図面・画像情報を記憶する図面記憶手段８とを加えて構成されている。
【００７０】
図面管理情報記憶手段７は、図１８に示すように、例えば設備機器の設計図面のタイトル７ｃ、作成年月日７ｄ、図面サイズ７ｅ及び専用の図面番号７ｂ等の図面管理情報に加え、設備機器固有の識別情報である機器コード７ａを設備機器に関する図面毎に記憶する。
【００７１】
図面記憶手段８は、設備機器の例えば設計図面を情報化した図面イメージ情報８ｂと、図面管理情報記憶手段７に記憶されるものと共通の図面番号７ｂとを設備機器に関する図面毎に記憶する。
【００７２】
これにより、図面記憶手段８に記憶される図面イメージ情報と図面管理情報記憶手段７に記憶される図面管理情報とは、共通の図面番号７ｂにより関連付けられ、仕様データ記憶手段４、機器データ記憶手段５にそれぞれ記憶される機器データ、仕様データと、図面管理情報記憶手段７に記憶される図面管理情報とは、各設備機器固有の機器コード７ａにより関連付けられることから、設備機器に関する管理情報は、個々の設備機器毎に統一して管理されることになる。
【００７３】
このように構成されたプラント設備管理装置により各設備機器の図面イメージ情報及び図面管理情報をそれぞれ登録、検索する場合について説明する。
【００７４】
オペレータによって入力装置１より、例えば設備機器“モータＡ”の設計図面に付随するタイトル７ｃ、作成年月日７ｄ、図面サイズ７ｅと“モータＡ”固有の機器コード７ａとがキー入力されるとともに、“モータＡ”の設計図面がイメージスキャナ等を介して入力されると、仕様検索・登録手段３を介して、入力されたタイトル７ｃ、作成年月日７ｄ、図面サイズ７ｅ及び機器コード７ａが図面管理情報記憶手段７に登録され、“モータＡ”の設計図面を情報化した図面イメージ情報８ｂが図面記憶手段８に登録される。また、これらの各情報の登録とともに“モータＡ”専用の図面番号７ｂが仕様検索・登録手段３によって自動採番され、図面管理情報記憶手段７及び図面記憶手段８にそれぞれ登録される。
【００７５】
これにより、“モータＡ”固有の機器コード７ａを含む、図面サイズ７ｅ等の図面情報と、図面イメージ情報８ａとは、図面番号７ｂを通じて関連付けられ、また“モータＡ”の機器データ及び仕様データと、前述した図面情報とは、“モータＡ”固有の機器コード７ａを通じて関連付けられることから、入力された“モータＡ”に関する全ての情報は、他の設備機器に関する情報と混乱することなく、実質的に統一して管理される。したがって、登録された“モータＡ”に関する情報を検索する場合においても、機器コード７ａと図面番号７ｂとに基づき、容易に仕様データ、設計図面の情報等を検索することができる。
【００７６】
このように、本実施形態のプラント設備管理装置によれば、各設備機器の設計図面のタイトル、図面サイズ等の図面管理情報と、各設備機器の設計図面の情報とを、機器コード７ａ及び図面番号７ｂを通じて“電流、電圧”等の他の情報と関連付けて記憶することができるので、個々の設備機器の設計図面に関する情報について容易に登録及び検索等を行うことができる。
【００７７】
なお、本実施形態のプラント設備管理装置は、タイトル、作成年月日及び図面サイズを図面管理情報の管理項目として登録するようにしたが、各設備機器に関する変更内容が経時的に管理できるように、変更履歴を図面管理情報の管理項目として加え登録するようにしてもよい。
【００７８】
次に、本発明の第９の実施形態について説明する。
【００７９】
図１９は、本実施形態のプラント設備管理装置を概念的に示す図である。この実施形態のプラント設備管理装置は、図１７に示す第８の実施形態のプラント設備管理装置に、図面連携手段９を加えて構成したものである。また、このプラント設備管理装置は、編集用図面記憶手段１０ａ、図面編集手段１０ｂ、入力装置１０ｃ及び出力装置１０ｄ等からなる既存の例えばＣＡＤ等の図面編集装置１０と、仕様情報検索・登録手段３とを図面連携手段９を介して連携できるようになっている。
【００８０】
図面連携手段９は、設備機器の設計図面等が情報化された図面イメージ情報を、既存の図面編集装置１０を用いて登録又は修正する場合、図面イメージ情報を、プラント設備管理装置若しくは既存の図面編集装置１０にて処理可能なデータフォーマットに適宜変換するためのものである。
【００８１】
ここで、本実施形態のプラント設備管理装置により、例えば“モータＡ”の図面イメージ情報を修正する場合について説明する。
【００８２】
まず、オペレータが入力装置１より、“モータＡ”の図面イメージ情報８ｂの修正要求を行うと、仕様情報検索・登録手段３により、図面連携手段９を通じて図面記憶手段８に記憶されている“モータＡ”の図面番号７ａ及び図番イメージ情報８ｂが図面連携手段９内に取り込まれる。図面連携手段９は、図面イメージ情報８ｂを図面編集装置１０の処理可能なデータフォーマットに変換し、変換された図面イメージ情報を図面編集装置１０の編集用図面記憶手段１０ａに出力する。図面編集装置１０内の編集用図面記憶手段１０ａに取り込まれた図面イメージ情報は、図面編集手段１０ｂを介して出力装置１０ｄに図面イメージとして出力される。出力装置１０ｄに出力された図面イメージを見ながら、オペレータが、入力装置１０ｃにより所定の修正を施し、修正完了後、図面イメージ情報はオペレータにより図面編集手段１０ｂを通じて編集用図面記憶手段１０ａに記録される。その後、オペレータが修正された図面イメージ情報の図面記憶手段８への記録要求を行うと、再び図面イメージ情報８ｂは図面連携手段９に取り込まれる。図面連携手段９は、修正された図面イメージ情報８ｂを再びプラント設備管理装置の処理可能なデータフォーマットに変換するとともに、“モータＡ”の図面イメージ情報８ｂに関連付けられていた図面番号７ｂと図面イメージ情報８ｂとを図面記憶手段８に出力し、以て図面イメージ情報８ｂの修正完了となる。
【００８３】
本実施形態のプラント設備管理装置によれば、既存の図面編集装置１０とプラント設備管理装置とを、データフォーマットの変換機能を備える図面連携手段９を介して連携させることにより、プラント設備管理装置で管理している図面イメージ情報に基づいて、既存の図面編集装置１０にて容易に設計図面等の修正を行うことができる。
【００８４】
なお、本実施形態では、プラント設備管理装置に予め登録されている図面イメージ情報を修正する場合について説明したが、既存の図面編集装置１０により作成した設備機器の設計図面等を情報化し、情報化した図面イメージ情報に図面番号を付加して新規にプラント設備管理装置に登録することも勿論可能である。
【００８５】
【発明の効果】
以上説明したように本発明のプラント設備管理装置によれば、各設備機器の種別に対応した管理項目を示す情報やその管理項目毎の仕様情報などの追加及び修正を含む登録処理、並びに検索処理を迅速かつ正確に行うことができる。また、本発明によれば、例えば管理項目の追加及び修正を行った場合、追加及び修正の対象の種別に属する全ての設備機器の管理項目を一度に更新することができる。さらに、本発明によれば、全設備機器共通の管理項目毎の仕様情報について検索を行う際には、一回の検索処理で目的の仕様情報を捜し出せるので、所望の設備機器の仕様情報を迅速に検索することができる。
【００８６】
また、本発明のプラント設備管理装置によれば、例えば一覧表示の中から仕様情報に対応する符号の選択により、登録が行われることから、入力作業が容易になるとともに、情報登録時の入力ミスを低減でき、仕様情報の画一的管理が可能となる。さらに、本発明によれば、各設備機器に関する図面・画像に対応した情報を登録及び検索できるので、例えば設計図面から設備機器の変更履歴などを容易に調査でき、調査したこの変更内容を踏まえた上での設備機器の適切な管理が可能となる。また、本発明によれば、設備機器に関する図面・画像と対応する図面・画像情報を、当該情報を編集可能なデータフォーマットを変換しつつ図面編集装置に取り込み、取り込んだこの情報に変更を加え再登録することなどを容易に行うことができる。
【図面の簡単な説明】
【図１】本発明の第１の実施形態におけるプラント設備管理装置を概念的に示す図
【図２】図１のプラント設備管理装置による管理情報の登録を概略的に示す図
【図３】図１のプラント設備管理装置による管理情報の検索を概略的に示す図
【図４】本発明の第２の実施形態におけるプラント設備管理装置の仕様データ記憶手段を概念的に示す図
【図５】第２の実施形態のプラント設備管理装置による管理情報の登録を概略的に示す図
【図６】第２の実施形態のプラント設備管理装置における検索時の入力画面
【図７】本発明の第３の実施形態におけるプラント設備管理装置を概念的に示す図
【図８】図７のプラント設備管理装置の仕様データ記憶手段を概念的に示す図
【図９】図７のプラント設備管理装置による管理情報の登録を概略的に示す図
【図１０】本発明の第４の実施形態におけるプラント設備管理装置の仕様データ記憶手段を概念的に示す図
【図１１】本発明の第５の実施形態におけるプラント設備管理装置を概念的に示す図
【図１２】図１１のプラント設備管理装置の仕様データ記憶手段を概念的に示す図
【図１３】本発明の第６の実施形態におけるプラント設備管理装置を概念的に示す図
【図１４】図１３のプラント設備管理装置の仕様データ記憶手段を概念的に示す図
【図１５】本発明の第７の実施形態におけるプラント設備管理装置を概念的に示す図
【図１６】図１５のプラント設備管理装置の付属情報記憶手段を概念的に示す図
【図１７】本発明の第８の実施形態におけるプラント設備管理装置を概念的に示す図
【図１８】図１７のプラント設備管理装置の図面管理情報記憶手段及び図面記憶手段を概念的に示す図
【図１９】本発明の第９の実施形態におけるプラント設備管理装置を概念的に示す図
【図２０】図１９のプラント設備管理装置において図面連携手段の動作を概略的に示す図
【符号の説明】
１……入力装置
２……出力装置
３……仕様情報検索・登録手段
４、４ａ、４ｂ、４ｅ、４ｆ、４ｍ……仕様データ記憶手段
４ｃ……仕様項目記憶手段
４ｄ……項目データ記憶手段
４ｇ……機器種類別項目記憶手段
４ｈ……共通仕様項目記憶手段
４ｊ……共通仕様データ記憶手段
４ｋ……機器種類別データ記憶手段
４ｎ……定数記憶手段
５、５ａ……機器データ記憶手段
６……付属情報記憶手段
６ａ、７ａ……機器コード
６ｂ……付属情報
７……図面管理情報記憶手段
８……図面記憶手段
９……図面連携手段
１０……既存の図面編集装置
【図１】
0003648359.tif 000002
【図２】
0003648359.tif 000003
【図３】
0003648359.tif 000004
【図４】
0003648359.tif 000005
【図５】
0003648359.tif 000006
【図６】
0003648359.tif 000007
【図７】
0003648359.tif 000008
【図８】
0003648359.tif 000009
【図９】
0003648359.tif 000010
【図１０】
0003648359.tif 000011
【図１１】
0003648359.tif 000012
【図１２】
0003648359.tif 000013
【図１３】
0003648359.tif 000014
【図１４】
0003648359.tif 000015
【図１５】
0003648359.tif 000016
【図１６】
0003648359.tif 000017
【図１７】
0003648359.tif 000018
【図１８】
0003648359.tif 000019
【図１９】
0003648359.tif 000020
【図２０】
0003648359.tif 000021